【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
ユーザ機器によって実施されるワイヤレス通信のための方法であって、
１つまたは複数の無線リンク監視基準信号（ＲＬＭ−ＲＳ）リソース、ここにおいて前記１つまたは複数のＲＬＭ−ＲＳリソースはＮＲ同期信号（ＮＲ−ＳＳ）またはＣＳＩ−ＲＳで構成される、と１つまたは複数のビーム障害回復基準信号（ＢＦＲ−ＲＳ）リソースとを示す第１の構成を取得することと、ここにおいて、各ＲＬＭ−ＲＳリソースが、第１のリンクに対応し、各ＢＦＲ−ＲＳリソースが、第２のリンクに対応する、
前記第１のリンクについての第１のリンク品質が第１のしきい値を下回り、前記第２のリンクについての第２のリンク品質が第２のしきい値を上回るという、第１の指示を取得することと、
前記指示に基づいて無線リンク障害（ＲＬＦ）に関してアクションをとること、前記アクションをとることが、報告を送ること、ここにおいて、前記報告は、前記第１のリンク品質が前記第１のしきい値を下回り、前記第２のリンク品質が前記第２のしきい値を上回り、前記ＢＦＲ−ＲＳリソースが第２のリンクに対応することを示す、および、第２の構成を取得すること、ここにおいて、前記第２の構成が、前記第２のリンクに対応する前記ＢＦＲ−ＲＳリソースを含むＲＬＭ−ＲＳリソースを示す、を備える、と
を備える、方法。
【請求項２】
前記第２の指示を送ることが、
物理アップリンク制御チャネル（ＰＵＣＣＨ）、物理アップリンク共有チャネル、またはサウンディング基準信号（ＳＲＳ）のうちの１つを介して前記第２の指示を送ることを備える、請求項１に記載の方法。
【請求項３】
アクションをとることが、
前記１つまたは複数のＲＬＭ−ＲＳリソースに基づいた仮定的な所望のＰＤＣＣＨブロックエラーレート（ＢＬＥＲ）に対応する推定されたリンク品質が前記第１のしきい値を下回る場合、周期同期外れ（ＯＯＳ）指示をカウントすることを中止すること
を備える、請求項１に記載の方法。
【請求項４】
タイマーを開始することと、
前記タイマーの満了時に、前記１つまたは複数のＲＬＭ−ＲＳリソースに基づいた仮定的な所望のＰＤＣＣＨブロックエラーレート（ＢＬＥＲ）に対応する推定されたリンク品質が前記第１のしきい値を下回る場合、前記周期ＯＯＳ指示をカウントすることを続けることと
をさらに備える、請求項３に記載の方法。
【請求項５】
アクションをとることが、
同期外れ（ＯＯＳ）タイマーを休止すること、および／または、
同期外れ（ＯＯＳ）指示のしきい値数を増加させること、および／または、
同期外れ（ＯＯＳ）タイマーの限界を増加させること
を備える、請求項１に記載の方法。
【請求項６】
アクションをとることが、
前記第１の構成から前記ＲＬＭ−ＲＳリソースのうちの１つを除去すること、および／または、
前記ＲＬＭ−ＲＳリソースに前記ＢＦＲ−ＲＳリソースうちの１つを追加すること
を備える、請求項１に記載の方法。
【請求項７】
基地局によって実施されるワイヤレス通信のための方法であって、
ユーザ機器（ＵＥ）に、１つまたは複数の無線リンク監視基準信号（ＲＬＭ−ＲＳ）リソース、ここにおいて前記１つまたは複数のＲＬＭ−ＲＳリソースはＮＲ同期信号（ＮＲ−ＳＳ）またはＣＳＩ−ＲＳで構成される、と１つまたは複数のビーム障害回復基準信号（ＢＦＲ−ＲＳ）リソースとを示す第１の構成を提供することと、ここにおいて、各ＲＬＭ−ＲＳリソースが、第１のリンクに対応し、各ＢＦＲ−ＲＳリソースが、第２のリンクに対応する、
前記ＵＥから、前記第１のリンクについての第１のリンク品質が第１のしきい値を下回り、前記第２のリンクについての第２のリンク品質が第２のしきい値を上回り、前記ＢＦＲ−ＲＳリソースが前記第２のリンクに対応することを示す、報告を取得することと、
前記ＵＥに第２の構成を提供することと、ここにおいて、前記第２の構成が、前記報告中で示される前記ＢＦＲ−ＲＳリソースをＲＬＭ−ＲＳリソースとして含む、
を備える、方法。
【請求項８】
前記第１の構成が、前記第２の構成において示されない１つまたは複数のＲＬＭ−ＲＳリソースを示す、および／または、
前記第２の構成が、前記第１の構成において示されない１つまたは複数のＲＬＭ−ＲＳリソースを示す、請求項７に記載の方法。
【請求項９】
ユーザ機器において実施されるワイヤレス通信を実施するための装置であって、
１つまたは複数の無線リンク監視基準信号（ＲＬＭ−ＲＳ）リソース、ここにおいて前記１つまたは複数のＲＬＭ−ＲＳリソースはＮＲ同期信号（ＮＲ−ＳＳ）またはＣＳＩ−ＲＳで構成される、と１つまたは複数のビーム障害回復基準信号（ＢＦＲ−ＲＳ）リソースとを示す第１の構成を取得するための手段と、ここにおいて、各ＲＬＭ−ＲＳリソースが、第１のリンクに対応し、各ＢＦＲ−ＲＳリソースが、第２のリンクに対応する、
前記第１のリンクについての第１のリンク品質が第１のしきい値を下回り、前記第２のリンクについての第２のリンク品質が第２のしきい値を上回るという、第１の指示を取得するための手段と、
前記指示に基づいて無線リンク障害（ＲＬＦ）に関してアクションをとるための手段、アクションをとるための前記手段が、報告を送るための手段、ここにおいて、前記報告は、前記第１のリンク品質が前記第１のしきい値を下回り、前記第２のリンク品質が前記第２のしきい値を上回り、前記ＢＦＲ−ＲＳリソースが第２のリンクに対応することを示す、および、第２の構成を取得するための手段、ここにおいて、前記第２の構成が、前記第２のリンクに対応する前記ＢＦＲ−ＲＳリソースを含むＲＬＭ−ＲＳリソースを示す、を備える、と
を備える、装置。
【請求項１０】
前記第２の指示を送るための前記手段が、
物理アップリンク制御チャネル（ＰＵＣＣＨ）、物理アップリンク共有チャネル、またはサウンディング基準信号（ＳＲＳ）のうちの１つを介して前記第２の指示を送るための手段を備える、請求項９に記載の方法。
【請求項１１】
アクションをとるための前記手段が、
前記１つまたは複数のＲＬＭ−ＲＳリソースに基づいた仮定的な所望のＰＤＣＣＨブロックエラーレート（ＢＬＥＲ）に対応する推定されたリンク品質が前記第１のしきい値を下回る場合、周期同期外れ（ＯＯＳ）指示をカウントすることを中止するための手段を備える、請求項９に記載の方法。
【請求項１２】
タイマーを開始するための手段と、
前記タイマーの満了時に、前記１つまたは複数のＲＬＭ−ＲＳリソースに基づいた仮定的な所望のＰＤＣＣＨブロックエラーレート（ＢＬＥＲ）に対応する推定されたリンク品質が前記第１のしきい値を下回る場合、前記周期ＯＯＳ指示をカウントすることを続けるための手段と
をさらに備える、請求項１１に記載の方法。
【請求項１３】
アクションをとるための前記手段が、
同期外れ（ＯＯＳ）タイマーを休止するための手段、および／または、
同期外れ（ＯＯＳ）指示のしきい値数を増加させるための手段、および／または、
同期外れ（ＯＯＳ）タイマーの限界を増加させるための手段
を備える、請求項９に記載の方法。
【請求項１４】
基地局においてワイヤレス通信を実施するための装置であって、
ユーザ機器（ＵＥ）に、１つまたは複数の無線リンク監視基準信号（ＲＬＭ−ＲＳ）リソース、ここにおいて前記１つまたは複数のＲＬＭ−ＲＳリソースはＮＲ同期信号（ＮＲ−ＳＳ）またはＣＳＩ−ＲＳで構成される、と１つまたは複数のビーム障害回復基準信号（ＢＦＲ−ＲＳ）リソースとを示す第１の構成を提供するための手段と、ここにおいて、各ＲＬＭ−ＲＳリソースが、第１のリンクに対応し、各ＢＦＲ−ＲＳリソースが、第２のリンクに対応する、
前記ＵＥから、前記第１のリンクについての第１のリンク品質が第１のしきい値を下回り、前記第２のリンクについての第２のリンク品質が第２のしきい値を上回り、前記ＢＦＲ−ＲＳリソースが前記第２のリンクに対応することを示す、報告を取得するための手段と、
前記ＵＥに第２の構成を提供するための手段と、ここにおいて、前記第２の構成が、前記報告中で示される前記ＢＦＲ−ＲＳリソースをＲＬＭ−ＲＳリソースとして含む、
を備える、装置。
【請求項１５】
前記第１の構成が、前記第２の構成において示されない１つまたは複数のＲＬＭ−ＲＳリソースを示す、および／または、
前記第２の構成が、前記第１の構成において示されない１つまたは複数のＲＬＭ−ＲＳリソースを示す、請求項１４に記載の方法。
【手続補正２】
【補正対象書類名】明細書
【補正対象項目名】０１４８
【補正方法】変更
【補正の内容】
【０１４８】
[0159]特許請求の範囲は、上記で示された厳密な構成および構成要素に限定されないことを理解されたい。上記で説明された方法および装置の構成、動作および詳細において、特許請求の範囲から逸脱することなく、様々な修正、変更および変形が行われ得る。
以下に本願の出願当初の特許請求の範囲に記載された発明を付記する。
［Ｃ１］
ユーザ機器によって実施されるワイヤレス通信のための方法であって、
１つまたは複数の無線リンク監視基準信号（ＲＬＭ−ＲＳ）リソースと１つまたは複数のビーム障害回復基準信号（ＢＦＲ−ＲＳ）リソースとを示す第１の構成を取得することと、ここにおいて、各ＲＬＭ−ＲＳリソースが、少なくとも第１のリンクに対応し、各ＢＦＲ−ＲＳリソースが、少なくとも第２のリンクに対応する、
前記第１のリンクについての第１のリンク品質が第１のしきい値を下回り、前記第２のリンクについての第２のリンク品質が第２のしきい値を上回るという、第１の指示を取得することと、
前記指示に基づいて無線リンク障害（ＲＬＦ）に関してアクションをとることと
を備える、方法。
［Ｃ２］
アクションをとることは、
前記第１のリンク品質が前記第１のしきい値を下回り、前記第２のリンク品質が前記第２のしきい値を上回るという、第２の指示を送ること
を備える、Ｃ１に記載の方法。
［Ｃ３］
前記第２の指示を送ることが、
物理アップリンク制御チャネル（ＰＵＣＣＨ）、物理アップリンク共有チャネル、またはサウンディング基準信号（ＳＲＳ）のうちの１つを介して前記第２の指示を送ることを備える、Ｃ２に記載の方法。
［Ｃ４］
アクションをとることが、
報告を送ることを備え、ここにおいて、前記報告は、前記第１のリンク品質が前記第１のしきい値を下回り、前記第２のリンク品質が前記第２のしきい値を上回り、前記ＢＦＲ−ＲＳリソースが第２のリンクに対応することを示す、
Ｃ１に記載の方法。
［Ｃ５］
第２の構成を取得することをさらに備え、ここにおいて、前記第２の構成が、前記第２のリンクに対応する前記ＢＦＲ−ＲＳリソースを含むＲＬＭ−ＲＳリソースを示す、
Ｃ４に記載の方法。
［Ｃ６］
アクションをとることが、
前記ＲＬＭ−ＲＳリソースに基づいて、同期外れ（ＯＯＳ）指示をカウントすることを中止すること
を備える、Ｃ１に記載の方法。
［Ｃ７］
タイマーを開始することと、
前記タイマーの満了時に、前記ＲＬＭ−ＲＳリソースに基づいて、前記ＯＯＳ指示をカウントすることを続けることと
をさらに備える、Ｃ６に記載の方法。
［Ｃ８］
ネットワークからメッセージを受信することと、
前記メッセージに応答して、前記ＲＬＭ−ＲＳリソースに基づいて、前記ＯＯＳ指示をカウントすることを続けることと
をさらに備える、Ｃ６に記載の方法。
［Ｃ９］
アクションをとることが、
同期外れ（ＯＯＳ）タイマーを休止すること
を備える、Ｃ１に記載の方法。
［Ｃ１０］
アクションをとることが、
同期外れ（ＯＯＳ）指示のしきい値数を増加させること
を備える、Ｃ１に記載の方法。
［Ｃ１１］
アクションをとることが、
同期外れ（ＯＯＳ）タイマーの限界を増加させること
を備える、Ｃ１に記載の方法。
［Ｃ１２］
アクションをとることが、
前記第１の構成から前記ＲＬＭ−ＲＳリソースのうちの１つを除去すること
を備える、Ｃ１に記載の方法。
［Ｃ１３］
アクションをとることが、
前記ＲＬＭ−ＲＳリソースに前記ＢＦＲ−ＲＳリソースうちの１つを追加すること
を備える、Ｃ１に記載の方法。
［Ｃ１４］
基地局によって実施されるワイヤレス通信のための方法であって、
ユーザ機器（ＵＥ）に、１つまたは複数の無線リンク監視基準信号（ＲＬＭ−ＲＳ）リソースと１つまたは複数のビーム障害回復基準信号（ＢＦＲ−ＲＳ）リソースとを示す第１の構成を提供することと、ここにおいて、各ＲＬＭ−ＲＳリソースが、少なくとも第１のリンクに対応し、各ＢＦＲ−ＲＳリソースが、少なくとも第２のリンクに対応する、  前記ＵＥから、前記第１のリンクについての第１のリンク品質が第１のしきい値を下回り、前記第２のリンクについての第２のリンク品質が第２のしきい値を上回り、前記ＢＦＲ−ＲＳリソースが前記第２のリンクに対応することを示す、報告を取得することと、  前記ＵＥに第２の構成を提供することと、ここにおいて、前記第２の構成が、前記報告中で示される前記ＢＦＲ−ＲＳリソースをＲＬＭ−ＲＳリソースとして含む、
を備える、方法。
［Ｃ１５］
前記第１の構成が、前記第２の構成において示されない１つまたは複数のＲＬＭ−ＲＳリソースを示す、Ｃ１４に記載の方法。
［Ｃ１６］
前記第２の構成が、前記第１の構成において示されない１つまたは複数のＲＬＭ−ＲＳリソースを示す、Ｃ１４に記載の方法。
［Ｃ１７］
ユーザ機器（ＵＥ）によって実施されるワイヤレス通信のための方法であって、
１つまたは複数の無線リンク監視基準信号（ＲＬＭ−ＲＳ）リソースと１つまたは複数のビーム障害回復基準信号（ＢＦＲ−ＲＳ）リソースとを示す第１の構成を取得することと、
少なくとも第１のリソースを介してビーム障害回復要求を送信することと、
前記第１のリソースが前記１つまたは複数のＲＬＭ−ＲＳリソース中に含まれないとき、または前記ＵＥが前記ビーム障害回復要求についての応答を受信したとき、無線リンク障害（ＲＬＦ）に関してアクションをとることと
を備える、方法。
［Ｃ１８］
前記第１のリソースが、
前記１つまたは複数のＲＬＭ−ＲＳリソース、または
前記１つまたは複数のＢＦＲ−ＲＳリソース
のうちの少なくとも１つ中に含まれる、Ｃ１７に記載の方法。
［Ｃ１９］
前記第１の構成が、ビーム障害回復要求を送るための候補ビームを選択するための適合性基準を示す、Ｃ１７に記載の方法。
［Ｃ２０］
アクションをとることが、
前記ＲＬＭ−ＲＳリソースに基づいて、同期外れ（ＯＯＳ）指示をカウントすることを中止すること
を備える、Ｃ１７に記載の方法。
［Ｃ２１］
タイマーを開始することと、
前記タイマーの満了時に、前記ＲＬＭ−ＲＳリソースに基づいて、前記ＯＯＳ指示をカウントすることを続けることと
をさらに備える、Ｃ２０に記載の方法。
［Ｃ２２］
ネットワークからメッセージを受信することと、
前記メッセージに応答して、前記ＲＬＭ−ＲＳリソースに基づいて、前記ＯＯＳ指示をカウントすることを続けることと
をさらに備える、Ｃ２０に記載の方法。
［Ｃ２３］
アクションをとることが、
同期外れ（ＯＯＳ）タイマーを休止すること
を備える、Ｃ１７に記載の方法。
［Ｃ２４］
アクションをとることが、
同期外れ（ＯＯＳ）指示のしきい値数を増加させること
を備える、Ｃ１７に記載の方法。
［Ｃ２５］
アクションをとることが、
同期外れ（ＯＯＳ）タイマーの限界を増加させること
を備える、Ｃ１７に記載の方法。
［Ｃ２６］
前記ＵＥがビーム障害回復要求についての前記応答を受信し、前記方法は、
ネットワークから第２の構成を受信することと、ここにおいて、前記第２の構成が、前記第１の構成における前記ＲＬＭ−ＲＳリソースとは異なる１つまたは複数の他のＲＬＭ−ＲＳリソースを示す、
前記他のＲＬＭ−ＲＳリソースを使用して無線リンク監視を実施することと
をさらに備える、Ｃ１７に記載の方法。
［Ｃ２７］
基地局（ＢＳ）によって実施されるワイヤレス通信のための方法であって、
ユーザ機器（ＵＥ）に、１つまたは複数の無線リンク監視基準信号（ＲＬＭ−ＲＳ）リソースと１つまたは複数のビーム障害回復基準信号（ＢＦＲ−ＲＳ）リソースとを示す第１の構成を提供することと、
前記１つまたは複数のＢＦＲ−ＲＳリソース中に含まれる第１のリソースを介して前記ＵＥからビーム障害回復要求を受信することと、
前記ＵＥに第２の構成を提供することと、ここにおいて、前記第２の構成が前記第１のリソースをＲＬＭ−ＲＳリソースとして含む、
を備える、方法。
［Ｃ２８］
前記第１の構成が、ビーム障害回復要求を送るための候補ビームを選択するための適合性基準を示す、Ｃ２７に記載の方法。
［Ｃ２９］
前記第２の構成が、前記第１の構成において示されない１つまたは複数のＲＬＭ−ＲＳリソースを示す、Ｃ２７に記載の方法。
［Ｃ３０］
前記第２の構成を提供することが、
前記ビーム障害回復要求についての応答を送信することを備え、ここにおいて、前記応答は、前記第２の構成が前記第１のリソースをＲＬＭ−ＲＳリソースとして含むことを暗黙的に示す、
Ｃ２７に記載の方法。